(57)【要約】【課題】レンズ鏡筒の内面で反射する不要光によって生ずるゴーストやフレアを低減する。【解決手段】レンズ鏡筒の内面に形成された反射防止部１〜３について、物体側の面のレンズ光軸に対する角度θを、反射防止部で反射した光線が物体側のレンズ面と像側のレンズ面に対して小さな角度で入射しないように設定する。【選択図】図１
2010276841.tif 000002
【特許請求の範囲】
【請求項１】
反射防止部を有するレンズ鏡筒であって、
前記反射防止部は物体側から入射した光線を反射する反射面を有しており、
前記反射面のレンズ光軸に対する角度をθ、前記反射面に入射する光線のレンズ光軸に対する最小角度をθia、最大角度をθib、前記反射面で反射した光線のレンズ光軸に対する角度のうち、前記反射防止部よりも物体側に配置されたレンズ群の最も像側のレンズ面の頂点に到達する最小角度をθcoa、前記反射防止部よりも像側に配置されたレンズ群の最も物体側のレンズ面の頂点に到達する最大角度をθcobとしたとき、
｛(θib＋θcob)／２−９０゜｝＜θ＜｛(θia＋θcoa)／２−９０゜｝
なる条件式を満足することを特徴とするレンズ鏡筒。
【請求項２】
前記反射面で反射した光線のレンズ光軸に対する角度のうち、前記反射防止部の物体側に配置されたレンズ群のレンズ面に入射する最小角度をθeoa、前記反射防止部よりも像側に配置されたレンズ群のレンズ面に入射する最大角度をθeobとしたとき、
｛(θib＋θeob)／２−９０゜｝＜θ＜｛(θia＋θeoa)／２−９０゜｝
なる条件式を満足することを特徴とする請求項１に記載のレンズ鏡筒。
【請求項３】
請求項１又は２に記載のレンズ鏡筒を備えることを特徴とする撮像レンズ。
【請求項４】
請求項１又は２に記載のレンズ鏡筒を備えることを特徴とするコンバータレンズ。
【発明の詳細な説明】
【技術分野】
【０００１】
本発明は、デジタルスチルカメラやデジタルビデオカメラなどの光学機器に用いられるレンズ鏡筒に関し、特に反射防止構造に設けたレンズ鏡筒に関するものである。
【背景技術】
【０００２】
レンズ鏡筒の内面での反射に起因したゴーストやフレアを抑制するため、レンズ鏡筒の内面に黒色材料を塗装したり、凹凸を形成したりすることが提案されてきた。
【０００３】
特許文献１はレンズ鏡筒の内面に繊維パイルを形成することによって反射を低減できることを開示している。
【０００４】
特許文献２はレンズ鏡筒の内面に肉抜き加工を行い、内面反射を低減する方法を開示している。
【０００５】
特許文献３はレンズ鏡筒の内部に鋸歯状の遮光板を配置し、鋸歯形状を構成する反射面の角度を被写体側と反被写体側つまり撮像素子側の位置に応じて異ならせることを開示している。
【先行技術文献】
【特許文献】
【０００６】
【特許文献１】特公昭６２−１１９０５号公報
【特許文献２】特開平３−２７１７０８号公報
【特許文献３】特開平６−１０２４４５号公報
【発明の概要】
【発明が解決しようとする課題】
【０００７】
特許文献１の反射防止構造は、接着剤等によって繊維パイルを植毛しなければならないため構成が複雑化してしまう。
【０００８】
特許文献２の反射防止構造は、レンズ鏡筒の内壁を光軸から遠ざけるための十分なスペースを確保することが必要であり、レンズ鏡筒が大型化し易い。
【０００９】
特許文献３は被写体と反対側の遮光板で反射した光線が物体側のレンズ群に入射し、その一部がレンズ面で反射することによって像面に到達するため、ゴーストやフレアを発生させてしまう。
【課題を解決するための手段】
【００１０】
本発明に係るレンズ鏡筒は、反射防止部を有するレンズ鏡筒であって、前記反射防止部は物体側から入射した光線を反射する反射面を有しており、前記反射面のレンズ光軸に対する角度をθ、前記反射面に入射する光線のレンズ光軸に対する最小角度をθia、最大角度をθib、前記反射面で反射した光線のレンズ光軸に対する角度のうち、前記反射防止部よりも物体側に配置されたレンズ群の最も像側のレンズ面の頂点に到達する最小角度をθcoa、前記反射防止部よりも像側に配置されたレンズ群の最も物体側のレンズ面の頂点に到達する最大角度をθcobとしたとき、
｛(θib＋θcob)／２−９０゜｝＜θ＜｛(θia＋θcoa)／２−９０゜｝
なる条件式を満足することを特徴とする。
【発明の効果】
【００１１】
本発明のレンズ鏡筒によれば、鏡筒の内面での反射によるゴーストやフレアを効果的に低減することができる。
【図面の簡単な説明】
【００１２】
【図１】実施例１の構成図である。
【図２】導入式の説明図である。
【図３】実施例２の構成図である。
【図４】実施例３の構成図である。
【発明を実施するための形態】
【００１３】
本発明の実施例を図面に基づいて詳細に説明する。
【実施例１】
【００１４】
図１は実施例１のレンズ鏡筒の構成図であって、左方が物体側であり、右方が像側である。
【００１５】
レンズ鏡筒の内壁には鋸歯形状の複数の反射防止部が形成されている。これらの複数の反射防止部は、物体側から入射した光線の反射面のレンズ光軸に対する角度が互いに異なる３種類の反射防止部１〜３により構成されている。ただし、レンズ光軸に対する角度は、左方を物体側としてレンズ鏡筒を見たときに、光軸と平行な方向から反時計回りの角度とする。
【００１６】
また、以下の説明では反射防止部の物体側の面を反射面とするが、反射面の反射率は黒色材料による塗装等の周知の方法によって、反射率が十分に低減されていることが望ましい。
【００１７】
反射防止部１〜３の物体側の面は、物体側から入射した不要光が像側レンズ群のレンズ面に入射しないような角度に設定されている。なお、本実施例の反射防止部１〜３の形状は三角形としたが、台形や、波形など、他の形状であってもよい。
【００１８】
反射防止部の反射面に入射する光線のうち、レンズ光軸に対する最小角度をθia、最大角度をθibとする。反射防止部の反射面で反射した光線のうち、反射防止部よりも物体側に配置されたレンズ中の最も像側の面の頂点に到達する最小角度をθcoaとする。反射防止部１〜３の後側に配置されたレンズ中の最も物体側の面の頂点に到達する最大角度をθcobとする。
【００１９】
最小角度θiaの入射光線が最小角度θcoaで反射する場合は、図２に示すような関係となる。反射防止部の物体側の面のレンズ光軸に対する角度をθとし、入射光線と反射光線が物体側の面に対する法線Ｎに対し角度αで入射、反射するとすると、次式が成立する。
α＝θia−θ−９０゜
θia−θcoa＝２α＝２（θia−θ−９０゜）
θ＝(θia＋θcoa)／２−９０゜                                ・・・（１）
【００２０】
同様に、最大角度θibの入射光線、最大角度θcobの反射光線に対しても、次式が成立する。
θ＝(θib＋θcob)／２−９０゜                              ・・・（２）
【００２１】
反射光束をレンズ群に対して小さな角度で入射させないためには、式（１）、（２）においては、次式の条件が必要となる。
θ＜(θia＋θcoa)／２−９０゜
θ＞(θib＋θcob)／２−９０゜
【００２２】
従って、実施例の反射防止部１〜３は、これらの両式による次の条件式（３）を満足することが必要である。
｛(θib＋θcob)/２−９０゜｝＜θ＜｛(θia＋θcoa)/２−９０゜｝・・・（３）
【００２３】
反射防止部の反射面のレンズ光軸に対する角度θが式（３）の上限を上回ると、反射防止部に到達した光線が物体側のレンズ群に小さな角度で入射するため、レンズ面で反射してゴーストやフレア等の原因となる。また、式（３）の下限を下回ると、反射防止部に到達した光線が、像側のレンズ群に小さな角度で入射するため、ゴーストやフレア等の原因となる。
【００２４】
表１は実施例１の反射防止部１、２、３のそれぞれについて、入射光線のレンズ光軸に対する最小角度θia、最大角度θibを示している。
【００２５】
表１
入射光線の範囲
θia            θib
反射防止部１      ９６．０゜    １００．０゜
反射防止部２    １２７．０゜    １８５．０゜
反射防止部３    １４５．０゜    ２００．０゜
【００２６】
表２は実施例１の反射防止部１、２、３よりも物体側のレンズ頂点に到達する反射光線のレンズ光軸に対する角度θcoa、像側のレンズ頂点に到達する反射光線のレンズ光軸に対する角度θcobを示している。
【００２７】
表２
反射光線の範囲
θcoa          θcob
反射防止部１    ９９．０゜    ２６．０゜
反射防止部２  １４８．０゜    ４０．０゜
反射防止部３  １６４．０゜    ７３．０゜
【００２８】
表３は各反射防止部１、２、３における反射面（物体側の面）のレンズ光軸に対する角度である。
【００２９】
表３
θ
反射防止部１      ７．０゜
反射防止部２    ４７．０゜
反射防止部３    ５０．０゜
【実施例２】
【００３０】
図３は実施例２のレンズ鏡筒の構成図である。
図３においては、反射光線を物体側および像側のレンズ群のレンズ面に到達させないようにしており、各反射防止部１、２、３は、式（４）を満足している。
【００３１】
ただし、反射防止部１、２、３の物体側の面に入射する入射光線のレンズ光軸に対する最小角度をθia、最大角度をθibとする。また、反射防止部１〜３で反射した反射光線のレンズ光軸に対する角度のうち、反射防止部１〜３よりも物体側のレンズ群のレンズ面に到達する最小角度をθeoa、反射防止部１〜３よりも像側のレンズ群のレンズ面に到達する最大角度をθeobとする。式の導入過程は式（１）、（２）と同様である。
｛(θib＋θeob)／２−９０゜｝＜θ＜｛(θia＋θeoa)／２−９０゜｝・・・（４）
【００３２】
式（４）の上限を上回ると、反射防止部１〜３に到達した入射光束が、物体側のレンズ群に入射してしまい、式（４）の下限を下回ると、反射防止部１〜３に到達した入射光束が、像側のレンズ群に入射してしまうため、何れもゴーストやフレアの原因となる。
【００３３】
表４は実施例２の入射光線の範囲である。
【００３４】
表４
入射光線の範囲
θia            θib
反射防止部１    ９６．０゜    １００．０゜
反射防止部２  １２７．０゜    １８５．０゜
反射防止部３  １４５．０゜    ２００．０゜
【００３５】
表５は実施例２における反射防止部１〜３から物体側のレンズと鏡筒との接点に到達する反射光線のレンズ光軸に対する角度θeoa、像側のレンズ鏡筒の接点に到達する反射光線のレンズ光軸に対する角度θeobを示している。
【００３６】
表５
反射光線の範囲
θeoa          θeob
反射防止部１    ９５．０゜    ３８．０゜
反射防止部２  １４０．０゜    ５６．０゜
反射防止部３  １５２．０゜    ８３．０゜
【００３７】
表６は実施例２の反射防止部１〜３における物体側の面のレンズ光軸に対する角度である。
【００３８】
表６
θ
反射防止部１      ５．０゜
反射防止部２    ３５．０゜
反射防止部３    ５５．０゜
【実施例３】
【００３９】
図４は鏡筒内面が傾斜している場合の実施例３の反射防止部の構成図であり、実施例１、２と同様に反射防止部１〜３の角度を変化させている。この場合も、条件式（３）、（４）を成立させることにより、ゴーストやフレアを低減することができる。
【００４０】
本発明のレンズ鏡筒は、撮像レンズ、コンバータレンズ、或いは撮像レンズを備えたカメラに適用することができる。
【符号の説明】
【００４１】
１、２、３  反射防止部
【図１】
2010276841.tif 000003
【図２】
2010276841.tif 000004
【図３】
2010276841.tif 000005
【図４】
2010276841.tif 000006